(57)【要約】【課題】レーザ光照射作業などの作業の増加がなく、隣接する画素電極間にわたって付着した導電性異物による連結輝点状欠陥により表示品位が低下することを防止する。【解決手段】複数の信号線１１と走査線１２とが互いに交叉して設けられ、信号線１１と走査線１２との交叉部近傍に設けられたＴＦＴ１を介して信号線１１と画素電極７とが接続されている。さらに、隣接する例えば画素電極７Ｘ，７Ｙ間を通って補正信号線１３が設けられており、補正信号生成回路１５にて生成された補正信号であって、黒表示レベルを発生させる補正信号を補正信号線１３に供給することによって、画素電極間に付着した導電性異物を介して補正信号が両画素電極７Ｘ，７Ｙに供給されて連結輝点状欠陥が黒点化される。【選択図】　図１
2004061698.tif 000002
【特許請求の範囲】
【請求項１】
複数の走査線および複数の信号線が互いに交叉して設けられ、該走査線および信号線の交叉部近傍毎にスイッチング素子が設けられ、隣接する該走査線および信号線で囲まれた領域毎に設けられた画素部が該スイッチング素子を介して該交叉部近傍の信号線に接続され、該スイッチング素子の制御端子は該交叉部近傍の走査線に接続されており、該走査線に供給される走査信号によって導通状態になった該スイッチング素子を介して、表示信号が該信号線から該画素部に供給されることにより画面表示する表示装置において、
隣接する各画素電極間を通ってそれぞれ配設された補正信号線と、
隣接する各画素電極間にわたって導電性異物が付着して生じる連結欠陥を補正するための補正信号を該補正信号線に出力する補正信号生成手段とを有する表示装置。
【請求項２】
前記画素部に表示信号電圧が印加されないときに白表示状態となるノーマリホワイトモードである請求項１記載の表示装置。
【請求項３】
前記補正信号はフレーム周期と同一周期以上の周期で極性が反転する信号である請求項１記載の表示装置。
【請求項４】
前記補正信号生成手段は、黒表示時に前記画素電極に供給される表示信号電圧値以上の電圧値となるように前記補正信号の電圧値を設定する請求項１記載の表示装置。
【請求項５】
複数の走査線および複数の信号線が互いに交叉して設けられ、該走査線および信号線の交叉部近傍毎にスイッチング素子が設けられ、隣接する該走査線および信号線で囲まれた領域毎に設けられた画素部が該スイッチング素子を介して該交叉部近傍の信号線に接続され、該スイッチング素子の制御端子は該交叉部近傍の走査線に接続されており、該走査線に供給される走査信号によって導通状態になった該スイッチング素子を介して、表示信号が該信号線から該画素部に供給されることにより画面表示する表示装置を表示駆動する表示装置の駆動方法において、
隣接する画素電極間にわたって導電性異物が付着して生じる連結欠陥を補正するための補正信号を生成し、隣接する各画素電極の間を通ってそれぞれ設けられた各補正信号線に該補正信号を供給することによって、隣接する画素電極間にわたって付着した導電性異物を介して連結欠陥部の画素電極に該補正信号を供給する表示装置の駆動方法。
【請求項６】
前記表示信号は１水平期間毎に極性が反転する信号であり、前記補正信号はフレーム周期と同一周期以上の周期で極性が反転する信号である請求項５に記載の表示装置の駆動方法。
【請求項７】
前記補正信号は、黒表示時に前記画素電極に供給される表示信号電圧値以上の電圧値となるように設定されている請求項５または６記載の表示装置。
【発明の詳細な説明】
【０００１】
【発明の属する技術分野】
本発明は、隣接する画素電極間にわたって付着した導電性異物により生じる連結輝点状欠陥を黒点化して表示可能とするアクティブマトリクス型液晶表示装置などの表示装置およびその駆動方法に関する。
【０００２】
【従来の技術】
従来のアクティブマトリクス型液晶表示装置は、一対のガラス基板の間に、表示媒体としての液晶層が挟持されており、一方の基板上にマトリクス状に設けられた画素電極と他方の基板上に設けられた対向電極との間に挟持された液晶層部分（画素部）に対して、スイッチング素子を介して表示信号電圧（表示データ）が供給される構成となっている。
【０００３】
図４は、従来のアクティブマトリクス型液晶表示装置の要部構成を示す等価回路図である。
【０００４】
図４において、この液晶表示装置１００は、一方の基板に、複数の信号線１１１と複数の走査線１１２とが互いに交叉するように配設されている。各信号線１１１および走査線１１２の交叉部近傍には、スイッチング素子として、例えば薄膜トランジスタ（ＴＦＴ）１０２が設けられている。ＴＦＴ１０２のソース（Ｓ）は、交叉部近傍の信号線１１１と接続され、ＴＦＴ１０２のドレイン（Ｄ）は、隣接する信号線１１１および走査線１１２で囲まれた領域毎に配設された画素電極１０７に接続されている。また、ＴＦＴ１０２のゲート（制御端子Ｇ）は、交叉部近傍の走査線１１２と接続されている。また、他方の基板には、対向電極１０８が設けられており、画素電極１０７と対向電極１０８との間に挟持された液晶層１０６がマトリクス状の画素部となっている。さらに、画素電極１０７と対向電極１０８との間には、液晶層（画素部）１０６と並列に、蓄電容量１０５が設けられている。
【０００５】
このように構成された従来の液晶表示装置では、ゲートドライバ（走査線駆動回路）１１０から走査線１１２を介して供給される走査信号によってスイッチング素子１０２がオン状態（導通状態）になったときに、ソースドライバ（信号線駆動回路）１０９から信号線１１１を介して供給される表示信号がスイッチング素子１０２を介して画素電極１０７に供給される。これによって、画素電極１０７と対向電極１０８との間に挟持された液晶層（画素部）１０６に対して表示信号の電圧（表示データ）が印加されて液晶層１０６の配向状態が変化し、この液晶層１０６を透過する光の光量が制御されて、画面表示として視認される。液晶層１０６に供給された表示信号は、液晶層１０６と並列に設けられた蓄電容量１０５にも供給されて電荷として蓄積（蓄電）される。
【０００６】
このような液晶表示装置の製造において、ＴＦＴ１０２を始めとするスイッチング素子の製造工程は極めて複雑であり、数１０万に及ぶ全画素を欠陥無く作製することは非常に困難であり、通常の製品レベルにおいても、いくつかの欠陥画素が含まれている。
【０００７】
この欠陥画素としては、いくつかの種類が知られているが、最も表示品位を低下させるものとしては、黒表示時における輝点状欠陥が挙げられる。例えば、ノーマリーホワイトモードの液晶表示装置における輝点状欠陥は、基本的に、画素電極に印加された表示信号電圧が何らかの原因によって不足し、液晶層の透過率を黒側へと変化させるための電圧が画素電極に印加されないことによって生じる。
【０００８】
このような輝点状欠陥が生じる原因の一つとして、例えば隣接する画素電極間にわたって導電性異物が付着した場合に、両画素電極間に導電性異物を介して電荷の移動（リーク電流）が生じ、連結した輝点状欠陥（連結輝点状欠陥）が発生することがある。
【０００９】
この連結輝点状欠陥が生じると、ＴＦＴがオフ状態（非導通状態）であるにもかかわらず、両画素電極間に導電性異物を介してリークが発生し、個々の画素電極の電位が両画素電極電位の中点である平均電位へと変化してしまう。また、ノーマリーホワイトモードの表示装置では、個々の画素電極の電位が白表示側（液晶印加電圧“０Ｖ”側）に変化することになり、導電性異物が付着した両画素電極は連結した輝点状欠陥となり、表示品位が著しく低下する。
【００１０】
以下では、この連結輝点状欠陥について、さらに詳しく説明する。
【００１１】
図５は、一般的な液晶表示装置における液晶層への印加電圧（液晶印加電圧）と透過率との関係を示すグラフである。なお、この図５では、ノーマリーホワイトモードの液晶表示装置に対して上記関係を求めている。この場合、液晶印加電圧が０Ｖの場合に最も明るい表示（白表示）が得られ、液晶印加電圧が大きくなるほど暗い表示（黒表示）となる。
【００１２】
例えば、液晶表示装置において、フリッカを減らすために１水平ライン毎に反転駆動を行う場合には、ある画素部において、信号線およびスイッチング素子を介して画素電極（画素）に正極性（＋極性）の表示信号電圧（表示データ）を書き込み、その画素部と走査線を挟んで隣接する画素部においては、反転駆動のため、負極性（−極性）の表示信号電圧（−極性表示データ）を信号線およびスイッチング素子を介して画素電極に書き込む。
【００１３】
ここで、ある画素部と、それに隣接する画素部との間に導電性異物が付着している場合には、正極性（＋極性）の表示データが書き込まれた画素電極と、負極性（−極性）の表示データが書き込まれた画素電極とが導電性異物を介して接続され、各画素電極に接続されたスイッチング素子がオフ状態であるにも関わらず、画素部間にリーク電流が発生して、両画素電極の電位は共に、両画素電極電位の中点レベル（白表示側）へと変化する。
【００１４】
このとき、ある画素電極の電位（画素電圧）Ｖｌｃｎは、ある画素電極に表示データが書き込まれたときの電位（画素電圧）ＶｌｃＸと、それに隣接する画素電極に表示データが書き込まれたときの電位（画素電圧）ＶｌｃＹとの間で電荷移動が生じることにより、
Ｖｌｃｎ＝（ＶｌｃＸ＋ＶｌｃＹ）／２　・・・　（式１）
となる。また、同様に、それに隣接する画素電極の電位（画素電圧）についても、Ｖｌｃｎとなる。
【００１５】
したがって、図５に示すような特性を有するノーマリーホワイトモードの液晶表示装置において、黒表示状態（Ｖｌｃ＝４Ｖとする）にて、導電性異物の付着による連結画素欠陥が発生した場合には、個々の画素電極の電位は、
Ｖｌｃ＝（＋４Ｖ−４Ｖ）／２＝０Ｖ
となり、輝点状（白表示状態）欠陥となる。
【００１６】
さらに、次のフィールドで交流駆動のために各信号線に供給される表示データが極性反転した場合でも、同様に、走査線を挟んで隣接する画素電極の間に導電性異物が付着した場合に、両画素電極の電位が変化して、輝点状（白表示状態）欠陥を表示することになる。
【００１７】
このような輝点状欠陥による表示品位低下を防ぐための従来技術として、例えば特開平７−２０８２９号公報「液晶表示装置」に記載されている技術が知られている。
【００１８】
この従来技術では、ノーマリーホワイトモードの液晶表示装置において、画素電極下部に黒表示レベルの信号を供給する信号バスラインを配置し、輝点状欠陥画素に対してレーザ光照射などを行う。これによって、輝点欠陥画素電極と上記信号バスラインとを接続（ショート）させ、その輝点状欠陥部の画素電極に対して上記信号バスラインからの黒表示レベルの信号を供給して、輝点状欠陥部における画素電極の電位を強制的に黒表示側にすることによって、欠陥の黒点化を行うことができる。
【００１９】
【発明が解決しようとする課題】
上記特開平７−２０８２９号公報「液晶表示装置」に記載されている従来技術では、導電性異物が付着した画素電極に対してレーザ光などを照射して、画素電極とその下部に配されている信号バスラインとを接続することによって、欠陥部の画素電極に黒表示レベルの信号を供給して、その輝点状欠陥画素部の黒色表示化（黒点化）を行っている。
【００２０】
このため、画素電極間にわたって導電性異物が付着した連結欠陥画素部を黒色表示化するためには、その連結欠陥画素部の位置を正確に検出して、個々の欠陥画素部に対してレーザ光照射などの作業を行う必要があり、作業時間の増加により製造コストが高くなるという問題がある。
【００２１】
本発明は、上記従来の問題を解決するためのものであり、レーザ光照射作業などの作業の増加がなく、隣接する画素電極間に導電性異物が付着して生じる連結欠陥を補正して表示品位の低下を防ぐことができる表示装置およびその駆動方法を提供することを目的とする。
【００２２】
【課題を解決するための手段】
本発明の表示装置は、複数の走査線および複数の信号線が互いに交叉して設けられ、これらの走査線および信号線の交叉部近傍毎にスイッチング素子が設けられ、隣接する該走査線および信号線で囲まれた領域毎に設けられた画素部がスイッチング素子を介して交叉部近傍の信号線に接続され、スイッチング素子の制御端子は交叉部近傍の走査線に接続されており、走査線に供給される走査信号によって導通状態になったスイッチング素子を介して、表示信号が該信号線から画素部に供給されることにより画面表示する表示装置において、隣接する各画素電極間を通ってそれぞれ配設された補正信号線と、隣接する各画素電極間にわたって導電性異物が付着して生じる連結欠陥を補正するための補正信号を該補正信号線に出力する補正信号生成手段とを有するものであり、そのことにより上記目的が達成される。
【００２３】
また、好ましくは、本発明の表示装置においては、画素部に表示信号電圧が印加されないときに白表示状態となるノーマリホワイトモードである。
【００２４】
さらに、好ましくは、本発明の表示装置における補正信号はフレーム周期と同一周期以上の周期で極性が反転する信号である。
【００２５】
さらに、好ましくは、本発明の表示装置における補正信号生成手段は、黒表示時に画素電極に供給される表示信号電圧値以上の電圧値となるように補正信号の電圧値を設定する。
【００２６】
本発明の表示装置の駆動方法は、複数の走査線および複数の信号線が互いに交叉して設けられ、走査線および信号線の交叉部近傍毎にスイッチング素子が設けられ、隣接する走査線および信号線で囲まれた領域毎に設けられた画素部がスイッチング素子を介して交叉部近傍の信号線に接続され、スイッチング素子の制御端子は交叉部近傍の走査線に接続されており、走査線に供給される走査信号によって導通状態になったスイッチング素子を介して、表示信号が信号線から画素部に供給されることにより画面表示する表示装置を表示駆動する表示装置の駆動方法において、隣接する画素電極間にわたって導電性異物が付着して生じる連結欠陥を補正するための補正信号を生成し、隣接する各画素電極の間を通ってそれぞれ設けられた各補正信号線に補正信号を供給することによって、隣接する画素電極間にわたって付着した導電性異物を介して連結欠陥部の画素電極に補正信号を供給するものであり、そのことにより上記目的が達成される。
【００２７】
また、好ましくは、本発明の表示装置の駆動方法において、表示信号は１水平期間毎に極性が反転する信号であり、補正信号はフレーム周期と同一周期以上の周期で極性が反転する信号である。
【００２８】
さらに、好ましくは、本発明の表示装置の駆動方法において、補正信号は、黒表示時に画素電極に供給される表示信号電圧値以上の電圧値となるように設定されている。
【００２９】
以下に、本発明の作用について説明する。
【００３０】
本発明においては、補正信号生成手段によって生成された補正信号が、隣接する各画素電極間を通ってそれぞれ設けられた各補正信号線に供給される。隣接する画素電極間にわたって導電性異物が付着した場合には、導電性異物が上記補正信号線とも接続される。これによって、液晶層や蓄電容量に表示信号が供給された後で、隣接する画素電極間で導電性異物を介しての電荷移動により連結欠陥（例えば連結輝点状欠陥）が生じても、補正信号線から導電性異物を介して、例えば黒色表示時の表示信号電圧以上の補正信号を各画素電極に供給して、各画素電極の電位を黒色表示レベルの電位にすることが可能となる。その結果、欠陥画素に対するレーザ光などの照射を行うことなく、上記連結輝点状欠陥を黒点化して目立たなくすることができ、連結輝点状欠陥による表示装置の表示品位の低下を防ぐことができる。
【００３１】
また、導電性異物を介したリーク電流による画素電極の電位変動は、ある程度の大きさになると、人間の目にフリッカ現象として見える。そこで、フレーム周波数（一般的には１／６０秒）以上の周波数で極性反転する補正信号であれば、導電性異物を介したリーク電流による画素電極の電位変動を抑えるだけでなく、補正信号による画素電極の電位変動を抑えることが可能となる。したがって、フリッカ現象を人間の目に感じさせることなく、液晶表示装置を表示駆動させることが可能となる。
【００３２】
【発明の実施の形態】
以下、本発明の表示装置の実施形態を液晶表示装置に適用した場合について図面を参照しながら説明する。なお、ここでは、スイッチング素子としてＴＦＴを用いた液晶表示装置について説明するが、表示媒体およびスイッチング素子はこれに限られない。
【００３３】
図１は、本発明の一実施形態である液晶表示装置の要部構成を示す等価回路図である。
【００３４】
図１において、この液晶表示装置１０において、一対の基板間に表示媒体としての液晶層６が挟持されて構成されている。一方の基板には、複数の信号線１１と複数の走査線１２とが互いに交叉して配設されている。これらの信号線１１と走査線１２の交叉部近傍にはスイッチング素子としてＴＦＴ１が設けられている。ＴＦＴ１のソース（Ｓ）は、交叉部近傍の信号線１１と接続され、ＴＦＴ１のドレイン（Ｄ）は、隣接する信号線１１と走査線１２で囲まれた領域毎に設けられた画素電極７と接続されている。また、ＴＦＴ１のゲート（制御端子Ｇ）は、交叉部近傍の走査線１２と接続されている。複数の画素電極７がマトリクス状に配設されている。
【００３５】
また、他方の基板には対向電極８が設けられている。この画素電極７と対向電極８との間に液晶層６が挟持されてマトリクス状の画素部となっている。さらに、画素電極７と対向電極８との間には、等価回路として、液晶層（画素部）６と並列に蓄電容量５が設けられている。
【００３６】
また、表示領域の周囲には、表示信号を生成するソースドライバ（信号線駆動回路）２１および走査信号を生成するゲートドライバ（走査線駆動回路）２２が設けられ、それぞれ信号線１１および走査線１２と接続されている。
【００３７】
この液晶表示装置１０において、ゲートドライバ２２から走査線１２を介して供給される走査信号（オン電圧）によってＴＦＴ１がオン状態（導通状態）となったときに、ソースドライバ２１から信号線１１を介して供給される表示信号（表示データ）がＴＦＴ１を介して画素電極７に供給される。これによって、画素電極７と対向電極８との間に挟持された液晶層（画素部）６に対して表示信号の電圧（表示データ）が印加されて液晶層６の配向状態が変化し、この液晶層６を透過する光の光量が制御されて、画面表示として視認される。液晶層６に供給された表示信号は、液晶層６と並列に設けられた蓄電容量５にも供給されて電荷として蓄積（蓄電）される。
【００３８】
さらに、本実施形態１の液晶表示装置１０には、例えば、画素電極７Ｘと、走査線１２Ｙを挟んで上下に隣接する画素電極７Ｙとの間を通って補正信号線１３が配設されている。この補正信号線１３は正信号生成回路１５に接続されており、正信号生成回路１５は、生成した補正信号を補正信号線１３に出力する。正信号生成回路１５は表示領域の周囲に設けられていてもよいし、表示領域の周囲外に設けられていてもよい。
【００３９】
上記補正信号は、隣接する画素電極間に導電性異物が付着して生じる連結輝点状欠陥を補正するための信号であり、例えば対向電極８の電位を基準として、一定周期（例えば、１Ｆ（１フレーム）期間毎）で、正（＋）極性または負（−）極性に反転する信号である。また、補正信号の極性反転電位は、＋／−ともに、黒表示レベルの電位となっている。
【００４０】
このような補正信号における逆極性反転駆動および電圧値の設定は、補正信号生成回路１５によって行われる。
【００４１】
図２は、図１の補正信号生成回路１５の一例を示す回路図である。
【００４２】
図２において、補正信号生成回路１５は、クロック入力端子ＣＫ、データ入力端子Ｄおよび出力端子Ｑを有するフリップフロップ１６と、出力端子Ｑに入力端子が接続されたＰ型トランジスタ１７ａおよびＮ型トランジスタ１７ｂからなるインバータ１７とを有している。
【００４３】
フリップフロップ１６には、１水平期間毎（１Ｈ）毎にＴＦＴ１に対する走査信号（オン信号）を生成する一般的なゲートドライバ２２から、タイミング制御に使用されるスタート信号（垂直同期信号）がクロック入力端子ＣＫに入力され、１フレーム期間毎に反転する信号が出力端子Ｑから出力される。出力端子Ｑからの出力信号は、フリップフロップ１６のデータ入力端子Ｄに入力されると共に、インバータ１７に入力される。このフリップフロップ１６からの出力信号によって、補正信号の極性が１フレーム期間毎に反転制御される。
【００４４】
インバータ１７は、Ｐ型トランジスタ１７ａとＮ型トランジスタ１７ｂとが正（＋）極性の黒表示信号電圧（黒表示レベルの電圧）および負（−）極性の黒表示信号電圧との間に直列に接続されており、フリップフロップ１６から入力される信号がＨレベルであるときにＰ型トランジスタ１７ａがオフ状態となり、Ｎ型トランジスタ１７ｂがオン状態となって、負（−）極性の黒表示信号が出力される。また、フリップフロップ１６から入力される信号がＬレベルであるときにＰ型トランジスタ１７ａがオン状態となり、Ｎ型トランジスタ１７ｂがオフ状態となって、正（＋）極性の黒表示信号が出力される。この正（＋）極性の黒表示信号電圧（黒表示レベルの電圧）および負（−）極性の黒表示信号電圧としては、画素電極７に供給される黒表示信号電圧（黒表示レベルの電圧）範囲を外部からインバータ１７に供給することができる。
【００４５】
インバータ１７から出力される補正信号は、補正信号生成回路１５からの補正信号として、導電性異物の有無に関わらず、常に、補正信号線１３に供給されている。
【００４６】
上記構成により、本実施形態の液晶表示装置１０において、ある任意の画素部Ｘ、この画素部Ｘと走査線１２Ｙを挟んで隣接する画素部Ｙの動作について説明する。
【００４７】
図３は、図１の画素部（Ｘ）および画素部（Ｙ）の動作を説明するための信号波形図である。
【００４８】
図３において、例えば走査信号ＶｇＸおよびＶｇＹはそれぞれ第１番目と第２番目の各走査線１２をそれぞれ伝送し、１Ｈ期間毎に一度オンするパルス信号である。走査信号ＶｇＸは画素部ＸのＴＦＴ１のゲート（Ｇ）と接続されている走査線１２Ｘを伝送してＴＦＴ１がオン状態になるタイミングを制御し、走査信号ＶｇＹは画素部ＹのＴＦＴ１のゲート（Ｇ）と接続されている走査線１２Ｙを伝送してＴＦＴ１がオン状態となるタイミングを制御する。
【００４９】
また、表示信号Ｖｓｉｇは信号線１１を伝送し、表示データに基づいて、１Ｈ（水平ライン）期間に表示電圧が変化するとともに、１Ｈ（水平ライン）期間毎にその極性が反転（振動）する反転信号である。さらに、表示信号Ｖｓｉｇの極性は、フレーム周期と同一周期で極性反転しており、ある任意のフレームで画素電極に供給される表示信号が正極性であった場合には、次のフレームでは負極性の表示信号が供給されて交流駆動が行われる。
【００５０】
また、補正信号Ｖｈｓｉｇは、補正信号線１３を伝送し、隣接する画素電極の間に導電性異物が付着することにより生じる連結輝点状欠陥を補正するための信号であり、例えば一定周期（遅くともフレーム周期と同一周期、例えば、１フレーム毎）で極性反転する信号である。この補正信号Ｖｈｓｉｇは、導電性異物の有無にかかわらず、常時、補正信号線１３に供給される。
【００５１】
また、ＶｌｃＸは、画素電極７Ｘに接続されている蓄電容量５Ｘおよび液晶層６Ｘの電圧変化であり、ＶｌｃＹは、画素電極７Ｙに接続されている蓄電容量５Ｙおよび液晶層６Ｙの電圧変化である。
【００５２】
この液晶表示装置１０においては、走査信号ＶｇＸのオン電圧がＴＦＴ１Ｘのゲート（Ｇ）に印加されるタイミングで、１Ｈ毎に変化する表示信号Ｖｓｉｇが、ＴＦＴ１を介して、画素電極７Ｘに供給される。この表示信号Ｖｓｉｇの電圧が画素電極７Ｘと対向電極８との間に設けられた蓄電容量５Ｘおよび液晶層６Ｘに保持されると共に、液晶層６Ｘの配向状態が変化して表示データが画面表示される。
【００５３】
このように走査信号ＶｇＸのオン電圧が所定のパルス幅で印加された後に、ＴＦＴ１Ｘのゲート（Ｇ）には、次のフレーム期間において画素電極７Ｘに表示データを書き込むタイミングまで、オフ電圧が印加される。このオフ電圧印加期間には、表示信号ＶｓｉｇはＴＦＴ１Ｘを介して画素電極７Ｘに供給されない。
【００５４】
また、走査信号ＶｇＹのオン電圧がＴＦＴ１のゲート（Ｇ）に印加されるタイミングで、１Ｈ毎に変化する表示信号Ｖｓｉｇが、ＴＦＴ１を介して、画素電極７に供給される。そして、この画素電極３７と対向電極８との間に設けられた蓄電容量３５および液晶層３６に保持されると共に、液晶層３６の配向状態が変化して表示データが表示される。
【００５５】
このように走査信号ＶｇＹのオン電圧が所定のパルス幅で印加された後、ＴＦＴ１Ｙのゲート（Ｇ）には、次の１Ｈ期間において画素電極７Ｙに表示データを書き込むタイミングまでオフ電圧が印加される。このオフ電圧印加期間には、表示信号Ｖｓｉｇは、ＴＦＴ１Ｙを介して画素電極７Ｙに供給されない。
【００５６】
ここで、隣接する画素電極７Ｘ，７Ｙ間にわたって導電性異物が付着して、画素電極７Ｘ，７Ｙが導電性異物により接続されている場合には、画素電極７Ｘ，７Ｙを介して、例えば液晶層６Ｘ，６Ｙと蓄電容量５Ｘ，５Ｙに表示信号（表示データ）が蓄電された後で、画素電極７Ｘとこれに隣接する画素電極７Ｙとの間で導電性異物を介して電荷移動（リーク電流）が生じる。図３のＶｌｃＸおよびＶｌｃＹに示すように、画素電極７Ｘに接続されている蓄電容量５Ｘおよび液晶層６Ｘに保持された電圧（表示データ）と、画素電極７Ｙに接続されている蓄電容量５Ｙおよび液晶層６Ｙに保持された電圧（表示データ）とが、対向電極８の電位レベルＶｃｏｍに近い側（白表示側）に変化する。
【００５７】
そこで、本実施形態では、図３の補正信号Ｖｈｓｉｇに示すように、画素電極Ｘおよび画素電極Ｙが黒表示相当の信号レベルになるような補正信号を、隣接する画素電極Ｘ，Ｙ間に配された補正信号線１３および導電性異物を介して、画素電極７Ｘおよび画素電極７Ｙに供給する。これによって、画素電極７Ｘに接続されている蓄電容量５Ｘおよび液晶層６Ｘに保持された電圧（表示データ）と、画素電極７Ｙに接続されている蓄電容量５Ｙおよび液晶層６Ｙに保持された電圧（表示データ）とは、図３の補正前の画素電極信号ＶｌｃＸおよび補正前の次画素電極信号ＶｌｃＹのように輝点（白表示側）へと変化することなく、図３の補正後の画素電極信号ＶｌｃＸ’および補正後の次画素電極信号ＶｌｃＹ’に示すように、黒表示電圧へと変化する。その結果、上記連結輝点状欠陥を黒点化して目立たなくすることができ、連結輝点状欠陥による液晶表示装置１０の表示品位の低下を防ぐことができる。
【００５８】
また、本実施形態では、従来のように、欠陥画素に対してレーザ光照射を行うことなく、導電性異物の付着により生じる連結輝点状欠陥による液晶表示装置１０の表示品位低下を防ぐことができる。
【００５９】
また、上記補正信号Ｖｈｓｉｇは、表示信号Ｖｓｉｇと同様に、上記フレーム周期と同一周期で極性反転する信号であるため、導電性異物を介したリーク電流による画素電極の電位変動を抑えるだけでなく、補正信号による画素電極の電位変動を抑えることができる。したがって、フリッカ現象を人間の目に感じさせることなく、液晶表示装置１０を表示駆動させることができる。
【００６０】
また、上記補正信号Ｖｈｓｉｇは、常に補正信号線１３に供給されるようになっているため、隣接する画素電極７Ｘ，７Ｙ間に付着した導電性異物によりリーク電流が発生した直後に、黒表示レベルの電圧を導電性異物を介して各画素電極７Ｘ，７Ｙに供給して、画素部Ｘ，Ｙを黒表示化することができる。
【００６１】
なお、本実施形態では、走査線１２と平行な方向に補正信号線１３を設けて、信号線方向に隣接する画素電極７Ｘ，７Ｙ間に導電性異物が付着した場合の連結輝点欠陥を補正する方法について説明したが、これに限らず、信号線１１と平行な方向に補正信号線を設けて、走査線方向に隣接する各画素電極間に生じる欠陥を補正することも可能である。
【００６２】
【発明の効果】
以上のように、本発明によれば、隣接する画素電極間にわたって導電性異物が付着することにより生じる連結輝点状欠陥に対して、画素電極の電位が黒表示レベルの電位（表示信号電圧）になるような補正信号を生成して、隣接する画素電極間を通って設けられた補正信号線に供給する。これによって、その導電性異物にて接続された両画素電極に、導電性異物を介して補正信号が供給される。その結果、両画素電極の電位を黒表示レベルとして、連結輝点状欠陥を黒点化することができ、液晶表示装置の表示品位の低下を防ぐことができる。
【００６３】
また、従来のように、液晶表示装置内の欠陥画素電極部にレーザ照射を行うことなく、導電性異物の付着による液晶表示装置の表示品位の低下を防ぐことができる。
【００６４】
さらに、補正信号は、遅くともフレーム周期と同一周期の信号とすることによって、フリッカ現象を人間の目に感じさせることなく、液晶表示装置を表示駆動させることができる。
【図面の簡単な説明】
【図１】本発明の一実施形態である液晶表示装置の要部構成を示す等価回路図である。
【図２】図１の補正信号生成回路の一例を示す回路図である。
【図３】図１の液晶表示装置の動作を説明するための信号波形図である。
【図４】従来の液晶表示装置の要部構成を示す等価回路図である。
【図５】液晶印加電圧と透過率レベルとの関係を示す図である。
【符号の説明】
１，１Ｘ，１Ｙ　　ＴＦＴ
５，５Ｘ，５Ｙ　　蓄電容量
６，６Ｘ，６Ｙ　　液晶層
７，７Ｘ，７Ｙ　　画素電極
８　　対向電極
１０　　液晶表示装置
１１　　信号線
１２，１２Ｘ，１２Ｙ　　走査線
１３　　補正信号線
１５　　補正信号生成回路
１６　　フリップフロップ
１７　　インバータ
２１　　ソースドライバ
２２　　ゲートドライバ
Ｖｓｉｇ　　表示信号
ＶｇＸ　　走査信号
ＶｇＹ　　次走査信号
ＶｌｃＸ　　画素電極信号（補正前）
ＶｌｃＹ　　次画素電極信号（補正前）
ＶｌｃＸ’　　画素電極信号（補正後）
ＶｌｃＹ’　　次画素電極信号（補正後）
Ｖｈｓｉｇ　　補正信号
【図１】
2004061698.tif 000003
【図２】
2004061698.tif 000004
【図３】
2004061698.tif 000005
【図４】
2004061698.tif 000006
【図５】
2004061698.tif 000007